(57)【要約】      （修正有）【課題】輝度均一性並びにコントラスト比を向上する面光源装置を提供する。【解決手段】面光源装置１００は、光出射面から面状に光を出射させるものであって、複数の導光板１０ａ、１０ｂ、１０ｃ、１０ｄ、プリズムシート１４、各導光板の一方側面から光を入射させる複数の光源８ａ、８ｂ，８ｃ、８ｄ、複数の光源を駆動する光源駆動回路１９を備える。各導光板は、各々の長さが光出射面から遠いものほど相対的に長くなるように設定されており、光出射面に最も近い第１導光板１０ａは、光を特定方向へ偏向させる第１光学制御部１６ａを有し、相対的に遠い第２導光板１０ｂは、導光部と、光を特定方向へ偏向させる第２光学制御部１６ｂを有する。第１光学制御部１６ａと第２光学制御部１６ｂは、互いに重ならないようにして配列される。各光源８ａ、８ｂ，８ｃ、８ｄは、各導光板１０ａ、１０ｂ、１０ｃ、１０ｄの一方側面に配列された複数の発光素子を有する。【選択図】図１
2018106835.tif 000002
【特許請求の範囲】
【請求項１】
光出射面から面状に光を出射させる面光源装置であって、
積層配置される複数の導光板と、
前記複数の導光板の上側に配置されるプリズムシートと、
前記複数の導光板の各々に対応付けて配置されており、当該各導光板の一方側面から光を入射させる複数の光源と、
前記複数の光源を駆動する光源駆動回路と、
を含み、
前記複数の導光板は、各々の前記一方側面から他方側面へ向かう第１方向における長さが前記光出射面から遠いものほど相対的に長くなるように設定されており、
前記複数の導光板のうち前記光出射面に最も近い第１導光板は、前記一方側面から入射する光を特定方向へ偏向させて当該第１導光板から出射させる第１光学制御部を有しており、
前記複数の導光板のうち前記光出射面から相対的に遠い１つ又は複数の第２導光板は、前記一方側面から入射する光を前記第１方向に沿って導く導光部と、当該導光部によって導かれた光を特定方向へ偏向させて当該第２導光板から出射させる第２光学制御部を有しており、
前記第１光学制御部及び前記第２光学制御部は、前記複数の導光板の積層方向において互いに重ならないようにして前記第１方向に沿って配列されており、
前記複数の光源の各々は、前記複数の導光板の各々の一方側面において前記第１方向と交差する第２方向に沿って配列された複数の発光素子を有する、
面光源装置。
【請求項２】
前記光源駆動回路は、前記複数の導光板の各々ごとに、前記複数の発光素子のうち１つ以上の発光素子を含むブロックを設定して当該ブロック毎に当該発光素子を点消灯制御する、
請求項１に記載の面光源装置。
【請求項３】
前記第１光学制御部及び前記第２光学制御部の各々は、複数のプリズム体を有して構成される、
請求項１又は２に記載の面光源装置。
【請求項４】
前記第１光学制御部は、前記一方側面から入射する光を前記第１方向とは異なる斜め方向へ偏向させるものであり、
前記第２光学制御部は、当該導光部によって導かれた光を前記第１方向とは異なる斜め方向へ偏向させるものである、
請求項１〜３の何れか１項に記載の面光源装置。
【請求項５】
前記プリズムシートは、下面に斜め入射する光を上面の法線方向へ出射させる、
請求項１〜４の何れか１項に記載の面光源装置。
【請求項６】
前記複数の導光板の各々の下側に配置される複数の反射シートを更に備える、
請求項１〜５の何れか１項に記載の面光源装置。
【請求項７】
前記複数の導光板の各々の前記他方側面に設けられた複数の遮光部を更に備える、
請求項１〜６の何れか１項に記載の面光源装置。
【発明の詳細な説明】
【技術分野】
【０００１】
本発明は、面状に光を射出する発光面を有する面光源装置に関する。
【背景技術】
【０００２】
面光源装置の従来例は、例えば特許第４９４９２７８号公報（特許文献１）に記載されている。この特許文献１に記載される面状照明装置（面光源装置）は、長さの異なる複数の透明基板を積層配置して階段形状に構成された導光ユニットと、この導光ユニットの各透明基板ごとに配置された光源と、各透明基板の出射面側と反対側に設けられた反射部材を備えており、各透明基板には光源から入射する光を出射面側へ向けるための光路変換手段が設けられている。光路変換手段の具体的構成としては、入射光を屈折、反射または散乱させて光の進行方向を変更させる複数のドーム状の凹部が記載されている。
【０００３】
ところで、特許文献１に記載される面状照明装置では、個別に点消灯可能な発光領域の数を増やすには、複数の導光ユニットを並列に配置した構成を採る必要がある。そのため、組み立て工数が増加してコスト増を招くという点で改良の余地がある。また、複数の導光ユニットを並列配置することから、仮に導光ユニットの間を隙間無く配置することができたとしても導光ユニット同士の間には必ず境界が生じるため、それらの境界が暗線として視認されてしまい、輝度ムラを生じさせるという点でも改良の余地がある。このような輝度ムラは、発光領域の高輝度化に伴ってより顕著になる。
【先行技術文献】
【特許文献】
【０００４】
【特許文献１】特許第４９４９２７８号公報
【発明の概要】
【発明が解決しようとする課題】
【０００５】
本発明に係る具体的態様は、面光源装置の輝度ムラの抑制並びに組み立て工数の低減を図ることを目的の１つとする。
【課題を解決するための手段】
【０００６】
本発明に係る一態様の面光源装置は、（ａ）光出射面から面状に光を出射させる面光源装置であって、（ｂ）積層配置される複数の導光板と、（ｃ）前記複数の導光板の上側に配置されるプリズムシートと、（ｄ）前記複数の導光板の各々に対応付けて配置されており、当該各導光板の一方側面から光を入射させる複数の光源と、（ｅ）前記複数の光源を駆動する光源駆動回路を含み、（ｆ）前記複数の導光板は、各々の前記一方側面から他方側面へ向かう第１方向における長さが前記光出射面から遠いものほど相対的に長くなるように設定されており、（ｇ）前記複数の導光板のうち前記光出射面に最も近い第１導光板は、前記一方側面から入射する光を特定方向へ偏向させて当該第１導光板から出射させる第１光学制御部を有しており、（ｈ）前記複数の導光板のうち前記光出射面から相対的に遠い１つ又は複数の第２導光板は、前記一方側面から入射する光を前記第１方向に沿って導く導光部と、当該導光部によって導かれた光を特定方向へ偏向させて当該第２導光板から出射させる第２光学制御部を有しており、（ｉ）前記第１光学制御部及び前記第２光学制御部は、前記複数の導光板の積層方向において互いに重ならないようにして前記第１方向に沿って配列されており、（ｊ）前記複数の光源の各々は、前記複数の導光板の各々の一方側面において前記第１方向と交差する第２方向に沿って配列された複数の発光素子を有する、面光源装置である。
【０００７】
上記構成によれば、面光源装置の輝度ムラの抑制並びに組み立て工数の低減を図ることが可能となる。
【図面の簡単な説明】
【０００８】
【図１】図１は、一実施形態の面光源装置の構成を示す模式的な断面図である。
【図２】図２は、光学制御部の構成例を示す模式的な断面図である。
【図３】図３は、光源から出射する光の導光板内部での挙動（伝搬状態）について説明するための図である。
【図４】図４は、プリズムシートの構成例を示す模式的な断面図である。
【図５】図５は、本実施形態の構成を有する面光源装置を想定した光学シミュレーション結果の一例を示す図である。
【図６】図６は、多くの発光領域を有する面光源装置の構成例を示す模式的な斜視図である。
【図７】図７は、他の実施形態の面光源装置の構成を示す模式的な断面図である。
【図８】図８は、他の実施形態の構成を有する面光源装置を想定した光学シミュレーション結果の一例を示す図である。
【発明を実施するための形態】
【０００９】
図１は、一実施形態の面光源装置の構成を示す模式的な断面図である。図１に示す面光源装置１００は、光出射面（発光面）から面状に光を出射させるものであり、４つの光源８ａ、８ｂ、８ｃ、８ｄ、４つの導光板１０ａ、１０ｂ、１０ｃ、１０ｄ、４つの反射シート１２ａ、１２ｂ、１２ｃ、１２ｄ、プリズムシート１４、光源駆動回路１９を含んで構成されている。この面光源装置１００は、図中上側へ向けて光を射出するものであり、その光出射面が４つの発光領域Ａ０１、Ａ０２、Ａ０３、Ａ０４に分割されており、各領域ごとに個別に光を射出可能に構成されている。本実施形態ではプリズムシート１４の上面が「光出射面」を構成する。
【００１０】
光源８ａは、導光板１０ａの図中左端側に配置されており、導光板１０ａの左端側の側面である光入射面へ光を入射させる。光源８ｂは、導光板１０ｂの図中左端側に配置されており、導光板１０ｂの左端側の側面である光入射面へ光を入射させる。光源８ｃは、導光板１０ｃの図中左端側に配置されており、導光板１０ｃの左端側の側面である光入射面へ光を入射させる。光源８ｄは、導光板１０ｄの図中左端側に配置されており、導光板１０ｄの左端側の側面である光入射面へ光を入射させる。本実施形態ではこれらの光源８ａ〜８ｄは、ＬＥＤなどの発光素子を１つ以上含んで構成された光源であり、光源駆動回路１９によって駆動される。
【００１１】
導光板１０ａは、光源８ａから入射する光を導光して所定位置から上面側へ出射させるものである。導光板１０ｂは、光源８ｂから入射する光を導光して所定位置から上面側へ出射させるものである。導光板１０ｃは、光源８ｃから入射する光を導光して所定位置から上面側へ出射させるものである。導光板１０ｄは、光源８ｄから入射する光を導光して所定位置から上面側へ出射させるものである。本実施形態では、各導光板１０ａ〜１０ｄは、フィルム状の導光板であり、積層配置される。このような導光板としては、例えば特開２０１５−０６０７６５号公報などの公知文献に記載されているものを用いることができる。なお、本実施形態では導光板１０ａが「第１導光板」に対応し、導光板１０ｂ〜１０ｄが「第２導光板」に対応する。
【００１２】
導光板１０ａは、光出射面に最も近い位置に配置されており、その下面側のほぼ全体にわたって配置される光学制御部１６ａを有している。また、導光板１０ａの上面側は導光板の出射光を集光する役割（機能）を有する連続または不連続なレンチキュラーパターンが等間隔で全面に形成されていてもよい。そのほぼ全体が平坦面となっている。この導光板１０ａの光学制御部１６ａが形成されている範囲が上記した発光領域Ａ０１に対応付けられている。
【００１３】
導光板１０ｂは、導光板１０ａに比べて光出射面から相対的に遠い位置に配置され、かつ、導光板１０ａに比べて図中右へ向かう方向（一方側面から他方側面へ向かう方向）に沿って相対的に長く設けられており、その一部が導光板１０ａと図中上下方向において重なり、他の一部は重ならない状態で配置されている。そして、導光板１０ｂは、導光板１０ａと重ならない部分の下面側のほぼ全体にわたって配置される光学制御部１６ｂを有する。また、導光板１０ｂは、導光板１０ａと重なる部分においては、下面が平坦面となった導光部２３ｂを有する。導光板１０ｂの上面側は導光板の出射光を集光する役割（機能）を有する連続または不連続なレンチキュラーパターンが等間隔で全面に形成されていてもよい。この導光板１０ｂの光学制御部１６ｂが形成されている範囲が上記した発光領域Ａ０２に対応付けられている。
【００１４】
導光板１０ｃは、導光板１０ａ、１０ｂに比べて光出射面から相対的に遠い位置に配置され、かつ導光板１０ａおよび導光板１０ｂに比べて図中左右方向に沿って相対的に長く設けられており、その一部が導光板１０ａおよび導光板１０ｂと図中上下方向において重なり、他の一部は重ならない状態で配置されている。そして、導光板１０ｃは、導光板１０ａおよび導光板１０ｂと重ならない部分の下面側のほぼ全体にわたって配置される光学制御部１６ｃを有する。また、導光板１０ｃは、導光板１０ａまたは導光板１０ｂと重なる部分においては、下面が平坦面となった導光部２３ｃを有する。導光板１０ｃの上面側は導光板の出射光を集光する役割（機能）を有する連続または不連続なレンチキュラーパターンが等間隔で全面に形成されていてもよい。この導光板１０ｃの光学制御部１６ｃが形成されている範囲が上記した発光領域Ａ０３に対応付けられている。
【００１５】
導光板１０ｄは、導光板１０ａ〜１０ｃに比べて光出射面から相対的に遠い位置に配置され、かつ導光板１０ａ〜１０ｃに比べて図中左右方向に沿って相対的に長く設けられており、その一部が導光板１０ａ、導光板１０ｂおよび導光板１０ｃと図中上下方向において重なり、他の一部は重ならない状態で配置されている。そして、導光板１０ｄは、導光板１０ａ、導光板１０ｂおよび導光板１０ｃと重ならない部分の下面側のほぼ全体にわたって配置される光学制御部１６ｄを有する。また、導光板１０ｄは、導光板１０ａまたは導光板１０ｂまたは導光板１０ｃと重なる部分においては、下面が平坦面となった導光部２３ｄを有する。導光板１０ｄの上面側は導光板の出射光を集光する役割（機能）を有する連続または不連続なレンチキュラーパターンが等間隔で全面に形成されていてもよい。この導光板１０ｄの光学制御部１６ｄが形成されている範囲が上記した発光領域Ａ０４に対応付けられている。
【００１６】
なお、本実施形態では光学制御部１６ａが「第１光学制御部」に対応し、光学制御部１６ｂ〜１６ｄが「第２光学制御部」に対応する。
【００１７】
光学制御部１６ａは、導光板１０ａの図中下面に設けられている。この光学制御部１６ａは、光源８ａから入射する光を特定方向に偏向させて導光板１０ａの図中上面側へ出射させるものであり、複数の微小な凹凸によって形成される反射面を有している。導光板１０ｂの下面に設けられた光学制御部１６ｂ、導光板１０ｃの下面に設けられた光学制御部１６ｃ、導光板１０ｄの下面に設けられた光学制御部１６ｄも同様の構成を有している。図示のように、各光学制御部１６ａ〜１６ｄは、各導光板１０ａ〜１０ｄの積層方向（図中上下方向）において互いに重ならないようにして、図中右へ向かう方向に沿って配列されている。
【００１８】
導光部２３ａは、導光板１０ａの上面と下面に挟まれた部分であり、透光性を有する。同様に、導光部２３ｂは、導光板１０ｂの上面と下面に挟まれた部分であり、透光性を有する。導光部２３ｃは、導光板１０ｃの上面と下面に挟まれた部分であり、透光性を有する。導光部２３ｄは、導光板１０ｄの上面と下面に挟まれた部分であり、透光性を有する。各導光部２３ａ〜２３ｄは、各光源８ａ〜８ｄから導光板１０ａ〜１０ｄの各一方側面へ入射する光を図中右方向に沿って導いて各光学制御部１６ａ〜１６ｄへ到達させるための導波路として機能する。
【００１９】
反射シート１２ａは、導光板１０ａの下面側において、この導光板１０ａの下面のほぼ全体と平面視で重なるようにして配置されている。同様に、反射シート１２ｂは、導光板１０ｂの下面側において、この導光板１０ｂの下面のほぼ全体と平面視で重なるようにして配置されている。反射シート１２ｃは、導光板１０ｃの下面側において、この導光板１０ｃの下面のほぼ全体と平面視で重なるようにして配置されている。反射シート１２ｄは、導光板１０ｄの下面側において、この導光板１０ｄの下面のほぼ全体と平面視で重なるようにして配置されている。各反射シート１２ａ〜１２ｄと各導光板１０ａ〜１０ｄの各光学制御部１６ａ〜１６ｄとの間には空気層が存在する。
【００２０】
プリズムシート１４は、各導光板１０ａ〜１０ｄと対向する一面側に多数のプリズム部を有しており、この一面側に斜め方向から入射する光を他面側の法線方向へ出射させる。
【００２１】
図２は、光学制御部の構成例を示す模式的な断面図である。なお、ここでは光学制御部１６ａについて例示するが、他の光学制御部１６ｂ、１６ｃ、１６ｄについても同様の構成である。図示のように、光学制御部１６ａは、導光板１０ａの図中下面に突出して設けられた断面三角形状の凸部である複数のプリズム部２０ａを含んで構成されている。各プリズム部２０ａは、２つの斜面２１ａ、２２ａを有する。なお、このような光学制御部１６ａ等としては、例えば特許第５０６６７４１号公報などの公知文献に記載されているものを用いることができる。
【００２２】
図３は、光源から出射する光の導光板内部での挙動（伝搬状態）について説明するための図である。ここでは、導光板１０ｂと反射シート１２ｂが部分的に示されており、導光板１０ｂの内部における光路が細線によって模式的に示されている。なお、光源８ａから導光板１０ａに入射する光、光源８ｃから導光板１０ｃに入射する光、光源８ｄから導光板１０ｄに入射する光のそれぞれについてもその挙動は同様である。
【００２３】
光源８ｂから導光板１０ｂに入射した光は、プリズム部２０ｂにおいて反射されることによって導光板１０ｂの上面側へ出射する。また、プリズム部２０ｂを透過した光は、その下側の反射シート１２ｂによって反射されてプリズム部２０ｂへ戻り、導光板１０ｂの上面側へ出射する。これら導光板１０ｂの上面へ出射する光は、乱反射光や拡散光ではなく直進性を持つ光として導光板１０ｂの上面において、この上面の法線方向を基準としてそれと一致しない斜め方向に一定角度で偏向されて出射する。また、導光部２３ｂでは光学制御部１６ｂが存在しないため、この導光部２３ｂに入射した光は導光板１０ｂの内部において全反射を繰り返して伝搬する。
【００２４】
図４は、プリズムシートの構成例を示す模式的な断面図である。図示のようにプリズムシート１４は、導光板１０ａ等と対向する一面側（図中下面）に、各々の断面が略三角形であって紙面と直交方向に厚さ方向を有する三角柱状の凸部であるプリズム部３０ａ、３０ｂを複数有している。各プリズム部３０ａ、３０ｂの形状は、図４に示すように∠ＯＡＢと∠ＯＡＣと弧ＡＣの半径によって決定される。弧ＡＣのほかに直線もしくはスプライン曲線、放物線等の任意曲線を用いてもよい。各プリズム部３０ａは、∠ＯＡＢに対応する斜面３１ａと、弧ＡＣに対応する斜面３２ａを有する。各プリズム部３０ｂは、∠ＯＡＢに対応する斜面３１ｂと、弧ＡＣに対応する斜面３２ｂを有する。
【００２５】
図示のように、各プリズム部３０ａと各プリズム部３０ｂとは、ある基準位置ｂ（例えばプリズムシート１４の図中左右方向における中央）を挟んで左右対称な形状を有する。プリズムシート１４の図中左側部分である各プリズム部３０ａの配置された部分は、上記した発光領域Ａ０１、Ａ０２に対応付けられている。導光板１０ａ、１０ｂから出射してプリズムシート１４の下面へ斜め入射した光は、各プリズム部３０ａの斜面３１ａへ入射して屈折し、斜面３２ａにおいて全反射されて、プリズムシート１４の上面の法線方向へ出射する。同様に、プリズムシート１４の図中右側部分である各プリズム部３０ｂの配置された部分は、上記した発光領域Ａ０３、Ａ０４に対応付けられている。導光板１０ｃ、１０ｄから出射した光は、各プリズム部３０ｂの斜面３１ｂへ入射して屈折し、斜面３２ｂにおいて全反射されて、プリズムシート１４の上面の法線方向へ出射する。なお、このようなプリズムシート１４としては、例えば特許第４０４４５１１号公報などの公知文献に記載されているものを用いることができる。
【００２６】
図５は、本実施形態の構成を有する面光源装置を想定した光学シミュレーション結果の一例を示す図である。図５（Ａ）は４つの発光領域をすべて発光させた場合の輝度を表した図であり、図５（Ｂ）〜図５（Ｅ）は、４つの発光領域Ａ０１、Ａ０２、Ａ０３、Ａ０４をそれぞれ個別に発光させた場合の輝度を表した図である。各図に示されるように、各発光領域ごとに分割して発光させた場合にも、漏れ光による影響を受けずに発光領域ごとのコントラスト比が良いことが分かる。また、発光領域ごとに導光板を分割する必要がなく、導光板同士の継ぎ目による境界部の輝度むらの問題が生じないため、全発光領域を発光させるとき、または隣り合う発光領域を発光させるときの輝度をより均一にできることが分かる。
【００２７】
上記のように本実施形態の面光源装置１００は、発光領域Ａ０１、Ａ０２、Ａ０３、Ａ０４のそれぞれ個別に光を放出することができる。すなわち、発光面を各発光領域ごとに分割して発光させることができる。また、各導光板１０ａ等における光の直進性が高いので、光源から出射する光の主たる進行方向に対して略直交する方向に複数の発光領域を設け、複数の光源を用いてそれらの駆動をブロックごとに行うことで、より多くの発光領域を個別に発光させることができる。これを実現する面光源装置の構成例を以下に説明する。
【００２８】
図６は、多くの発光領域を有する面光源装置の構成例を示す模式的な斜視図である。図示の面光源装置１００ａは、図中上下方向であるｙ方向に重ねて配置された４つの導光板１０ａ〜１０ｄの図中左側に設けられた一方側面において、図中の奥行き方向であるｚ方向（左側面の長手方向）に沿って多数配列された発光素子からなる光源８ａ〜８ｄを用いる。各導光板１０ａ〜１０ｄの構成は上記と同様であり、また各導光板１０ａ等の下面側にはそれぞれ反射シート１２ａ等が設けられている。また、プリズムシート１４については図示を省略しているが実際には導光板１０ａの上面側に配置される。また、光源駆動回路１９も図示を省略しているが各光源８ａ等に接続されている。
【００２９】
図示の例では、各導光板１０ａ〜１０ｄごとに、それぞれに対応付けられた各光源８ａ〜８ｄについてそれぞれ４つずつの発光素子を１ブロックとして各ブロックごとに発光素子を点消灯制御する。また、上記の通りｘ方向（図中左右方向）については、各ブロックごとに４つの発光領域を個別に発光させることができる。従って、例えば、図中手前のブロックの各光源８ａ〜８ｄにおける各々４つずつの発光素子を個別に発光させることで、発光領域Ａ０１、Ａ０２、Ａ０３、Ａ０４を個別に発光させることができる。このようなブロックを奥行き方向（ｚ方向）にｍ列設けているので、発光領域Ａ１１、Ａ１２、Ａ１３、Ａ１４、発光領域Ａ２１、Ａ２２、Ａ２３、Ａ２４、・・・発光領域Ａｍ１、Ａｍ２、Ａｍ３、Ａｍ４を個別に発光させることができる。すなわち、図示の例では４×ｍ個の発光領域を個別に発光させることができる。なお、各ブロックに割り当てる発光素子の数は４つに限られない。例えば、１つとしてもよく、その場合にはさらに細かく分かれた発光領域を設けることができる。
【００３０】
図７は、他の実施形態の面光源装置の構成を示す模式的な断面図である。ここで示す面光源装置１００ｂは、上記した図１に示した面光源装置１００と比べ、各導光板１０ａ〜１０ｃの他端側、すなわち各光源８ａ〜８ｃの配置されている一端側と対向する他端の側面に遮光部１８ａ〜１８ｃが設けられている点が主に異なっている。なお、図示の例では導光板１０ｄの他端側には遮光部が設けられていないが、遮光部が設けられてもよい。各遮光部１８ａ〜１８ｃは、例えば塗装されるもの若しくは粘着性のものであり、カーボンブラック、黒顔料、黒染料などが挙げられる。各導光板１０ａ等の他端側と各遮光部１８ａ等の間は空気層（屈折率の低い層）を介さずに密着していることが好ましい。
【００３１】
図８は、他の実施形態の構成を有する面光源装置を想定した光学シミュレーション結果の一例を示す図である。図８（Ａ）は４つの発光領域をすべて発光させた場合の輝度を表した図であり、図８（Ｂ）〜図８（Ｅ）は、４つの発光領域Ａ０１、Ａ０２、Ａ０３、Ａ０４をそれぞれ個別に発光させた場合の輝度を表した図である。なお、各図において右側に示される輝度分布は遮光部１８ａ等を設けた場合のものであり、左側に示される輝度分布は遮光部１８ａを設けない場合のものである。各図に示されるように遮光部１８ａ等を設けることで、導光板１０ａ等の他端側における漏れ光をより低減することが可能になり、各発光領域の境界での光の切れが良くなる。それにより、輝度ムラが改善される。
【００３２】
以上のような各実施形態によれば、輝度均一性並びにコントラスト比を向上させた面光源装置が得られる。
【００３３】
なお、本発明は上記した実施形態の内容に限定されるものではなく、本発明の要旨の範囲内において種々に変形して実施をすることが可能である。例えば、各光源を構成する発光素子は上記したＬＥＤに限られない。また、導光板の積層数は上記した４つに限定されず、少なくとも２つ以上であればよい。原理上、導光板の積層数を増やすほど発光領域の数を多くすることができる。
【符号の説明】
【００３４】
１００、１００ａ、１００ｂ：面光源装置
８ａ、８ｂ、８ｃ、８ｄ：光源
１０ａ、１０ｂ、１０ｃ、１０ｄ：導光板
１２ａ、１２ｂ、１２ｃ、１２ｄ：反射シート
１４：プリズムシート
１６ａ、１６ｂ、１６ｃ、１６ｄ：光学制御部
１８ａ、１８ｂ、１８ｃ、１８ｄ：遮光部
１９：光源駆動回路
２０ａ、２０ｂ：プリズム部
２１ａ、２２ａ、２１ｂ、２２ｂ：斜面
２３ａ、２３ｂ、２３ｃ、２３ｄ：導光部
３０ａ、３０ｂ：プリズム部
３１ａ、３１ｂ、３２ａ、３２ｂ：斜面
【図１】
2018106835.tif 000003
【図２】
2018106835.tif 000004
【図３】
2018106835.tif 000005
【図４】
2018106835.tif 000006
【図５】
2018106835.tif 000007
【図６】
2018106835.tif 000008
【図７】
2018106835.tif 000009
【図８】
2018106835.tif 000010